(57)【要約】【課題】情報表示装置が通信端末で動作しているアプリケーションの画像を表示させているときに、通信端末が操作されても、利便性を維持できる情報表示制御装置を提供する。【解決手段】情報表示制御装置１０は、通信端末３０で動作しているアプリケーションの画像を画像表示装置２１に表示させる画像処理部１３と、通信端末３０が操作されている状態になった場合に、アプリケーションと同様の機能を発揮する代替アプリケーションを実行する制御部１１とを備える。画像処理部１３は、通信端末３０が操作されている状態になると、代替アプリケーションの画像を画像表示装置２１に表示させる。【選択図】図１
2017054394.tif 000002
【特許請求の範囲】
【請求項１】
表示装置に画像を表示させる画像処理部と、
通信端末との通信を行い、前記通信端末で動作しているアプリケーションの画像を取得する通信部と、
前記通信端末が操作されている状態か否かを判断し、その判断結果に基づいて前記画像処理部を制御する制御部とを備え、
前記制御部は、
前記通信端末が操作されていない状態と判断した場合は、前記通信部が取得した前記アプリケーションの画像が前記表示装置に表示されるように前記画像処理部を制御し、
前記通信端末が操作されている状態と判断した場合は、前記アプリケーションと同様の機能を発揮する代替アプリケーションを起動して、前記代替アプリケーションの画像が前記表示装置に表示されるように前記画像処理部を制御する
ことを特徴とする情報表示制御装置。
【請求項２】
表示装置に画像を表示させる画像処理部と、
通信端末との通信を行い、前記通信端末で動作しているアプリケーションの画像を取得する通信部と、
前記通信部が取得した前記アプリケーションの画像を記憶する画像記憶部と、
前記通信端末が操作されている状態か否かを判断し、その判断結果に基づいて前記画像処理部を制御する制御部とを備え、
前記制御部は、
前記通信端末が操作されていない状態と判断した場合は、前記通信部が取得した前記アプリケーションの画像が前記表示装置に表示されるように前記画像処理部を制御し、
前記通信端末が操作されている状態と判断した場合は、前記通信端末が操作されなかったと仮定したときの前記アプリケーションの画像の変化を推定して、前記画像記憶部に記憶されている前記アプリケーションの画像に前記制御部が推定した前記変化を加えた画像が前記表示装置に表示されるように前記画像処理部を制御する
ことを特徴とする情報表示制御装置。
【請求項３】
前記制御部は、前記通信部を通して、前記通信端末の設定変更が行われることを検出し、ユーザの許可を得た場合にのみ当該設定変更を前記通信端末に許可する
請求項１または請求項２に記載の情報表示制御装置。
【請求項４】
前記制御部は、前記通信端末が操作されている状態が一定時間以上続かなかった場合、前記通信端末が操作されている状態にならなかったとみなす
請求項１から請求項３のいずれか一項記載の情報表示制御装置。
【請求項５】
前記制御部は、前記通信端末が操作されていない状態が一定時間以上続かなかった場合、前記通信端末が操作されていない状態にならなかったとみなす
請求項１から請求項４のいずれか一項記載の情報表示制御装置。
【請求項６】
前記アプリケーションは、経路案内を行うナビゲーション用のアプリケーションである
請求項１から請求項５のいずれか一項に記載の情報表示制御装置。
【請求項７】
前記代替アプリケーションは、前記ナビゲーション用のアプリケーションよりも簡略化された地図を表示する簡易ナビゲーション用のアプリケーションである
請求項６記載の情報表示制御装置。
【請求項８】
情報表示制御装置における情報表示制御方法であって、
前記情報表示制御装置の通信部が、通信端末で動作しているアプリケーションの画像を取得し、
前記情報表示制御装置の制御部が、前記通信端末が操作されている状態か否かを判断し、
前記制御部は、前記通信端末が操作されていない状態と判断した場合は、前記アプリケーションの画像を表示装置に表示させ、前記通信端末が操作されている状態と判断した場合は、前記アプリケーションと同様の機能を発揮する代替アプリケーションを起動して、前記代替アプリケーションの画像を前記表示装置に表示させる
ことを特徴とする情報表示制御方法。
【請求項９】
情報表示制御装置における情報表示制御方法であって、
前記情報表示制御装置の通信部が、通信端末で動作しているアプリケーションの画像を取得し、
前記情報表示制御装置の画像記憶部が、前記通信部が取得した前記アプリケーションの画像を記憶し、
前記情報表示制御装置の制御部が、前記通信端末が操作されている状態か否かを判断し、
前記制御部は、前記通信端末が操作されていない状態と判断した場合は、前記通信部が取得した前記アプリケーションの画像を表示装置に表示させ、前記通信端末が操作されている状態と判断した場合は、前記通信端末が操作されなかったと仮定したときの前記アプリケーションの画像の変化を推定して、前記画像記憶部に記憶されている前記アプリケーションの画像に前記制御部が推定した前記変化を加えた画像を前記表示装置に表示させる
ことを特徴とする情報表示制御方法。
【発明の詳細な説明】
【技術分野】
【０００１】
本発明は、情報表示装置の動作を制御する情報表示制御装置に関し、特に、外部の通信端末との連携（リンク）機能を有する情報表示制御装置に関する。
【背景技術】
【０００２】
近年、スマートフォンや携帯電話などの通信端末との通信機能を有する情報表示装置が実用化されている。そのような情報表示装置としては、通信端末で動作しているアプリケーションプログラム（以下、単に「アプリケーション」という）が出力する画像や音声を取得し、自己の表示部やスピーカから出力したり、画像や音声に基づくユーザの操作を受け付けて通信端末を制御したりするなど、通信端末との連携動作を可能とするリンク機能（例えばMirrorLink（登録商標）機能）を有するものがある（例えば特許文献１〜３）。
【先行技術文献】
【特許文献】
【０００３】
【特許文献１】特開２００２−２３０６９７号公報
【特許文献２】特開２００７−１９５１４４号公報
【特許文献３】特開２０１４−２２２２４５号公報
【発明の概要】
【発明が解決しようとする課題】
【０００４】
情報表示装置が通信端末で動作しているアプリケーションの画像を表示させているときに、通信端末が操作されると、情報表示装置の表示が望ましいものとならずに利便性が損なわれる場合がある。例えば、車両に搭載された情報表示装置が、通信端末で動作しているナビゲーション用のアプリケーションが出力する地図の画像を表示しているときに、運転者以外の同乗者が通信端末を操作して、通信端末に操作用の画面（操作メニューなど）が表示されると、それに伴って情報表示装置にも、通信端末の操作用の画面が表示される。その結果、運転者は地図を見ることができなくなり、経路を誤る恐れが生じる。
【０００５】
本発明は以上のような課題を解決するためになされたものであり、情報表示装置が通信端末で動作しているアプリケーションの画像を表示させているときに、通信端末が操作されても、利便性を維持できる情報表示制御装置を提供することを目的とする。
【課題を解決するための手段】
【０００６】
本発明の第１の態様に係る情報表示制御装置は、表示装置に画像を表示させる画像処理部と、通信端末との通信を行い、通信端末で動作しているアプリケーションの画像を取得する通信部と、通信端末が操作されている状態か否かを判断し、その判断結果に基づいて画像処理部を制御する制御部とを備え、制御部は、通信端末が操作されていない状態と判断した場合は、通信部が取得したアプリケーションの画像が表示装置に表示されるように画像処理部を制御し、通信端末が操作されている状態と判断した場合は、アプリケーションと同様の機能を発揮する代替アプリケーションを起動して、代替アプリケーションの画像が表示装置に表示されるように画像処理部を制御する。
【０００７】
本発明の第２の態様に係る情報表示制御装置は、表示装置に画像を表示させる画像処理部と、通信端末との通信を行い、通信端末で動作しているアプリケーションの画像を取得する通信部と、通信部が取得したアプリケーションの画像を記憶する画像記憶部と、通信端末が操作されている状態か否かを判断し、その判断結果に基づいて画像処理部を制御する制御部とを備え、制御部は、通信端末が操作されていない状態と判断した場合は、通信部が取得したアプリケーションの画像が表示装置に表示されるように画像処理部を制御し、通信端末が操作されている状態と判断した場合は、通信端末が操作されなかったと仮定したときのアプリケーションの画像の変化を推定して、画像記憶部に記憶されているアプリケーションの画像に制御部が推定した変化を加えた画像が表示装置に表示されるように画像処理部を制御する。
【発明の効果】
【０００８】
本発明によれば、情報表示装置が通信端末で動作しているアプリケーションの画像を表示させているときに、通信端末が操作されると、それまでに表示されていたアプリケーションの画像に対応する動的な画像が表示され続けることにより、利便性が維持される。
【図面の簡単な説明】
【０００９】
【図１】本発明の実施の形態１および２に係る情報表示システムの構成図である。
【図２】情報表示制御装置と通信端末との連携動作を説明するための図である。
【図３】情報表示制御装置と通信端末との連携動作を説明するための図である。
【図４】通信端末からデータを受信したときの情報表示制御装置の動作を示すフローチャートである。
【図５】操作入力装置（タッチパネル）が操作されたときの情報表示制御装置の動作を示すフローチャートである。
【図６】実施の形態１に係る情報表示制御装置の動作を説明するための図である。
【図７】実施の形態１において、通信端末の操作が開始されたときの情報表示制御装置の動作を示すフローチャートである。
【図８】実施の形態１において、通信端末の操作が終了したときの情報表示制御装置の動作を示すフローチャートである。
【図９】実施の形態２に係る情報表示制御装置の動作を説明するための図である。
【図１０】実施の形態２において、通信端末が設定変更を行おうとしたときの情報表示制御装置の動作を示すフローチャートである。
【図１１】本発明の実施の形態３に係る情報表示システムの構成図である。
【図１２】実施の形態３に係る情報表示制御装置の動作を説明するための図である。
【図１３】実施の形態３に係る情報表示制御装置の動作を説明するための図である。
【図１４】実施の形態３において、通信端末の操作が開始されたときの情報表示制御装置の動作を示すフローチャートである。
【図１５】実施の形態３において、通信端末の操作が終了したときの情報表示制御装置の動作を示すフローチャートである。
【図１６】本発明に係る情報表示制御装置のハードウェア構成の例を示す図である。
【図１７】本発明に係る情報表示制御装置のハードウェア構成の例を示す図である。
【発明を実施するための形態】
【００１０】
＜実施の形態１＞
図１は、本発明に係る情報表示システムの構成図である。当該情報表示システムは、情報表示制御装置１０と、それに接続される画像表示装置２１、音声出力装置２２および操作入力装置２３と、情報表示制御装置１０と連携（リンク）可能な通信端末３０とを含んでいる。
【００１１】
情報表示制御装置１０は、画像表示装置２１に表示させる画像、および音声出力装置２２に出力させる音声を制御する。操作入力装置２３は、ユーザが、情報表示制御装置１０を操作したり、情報表示制御装置１０を介して通信端末３０をリモート操作したりするためのユーザインターフェイスである。情報表示制御装置１０が組み込まれる具体的な製品としては、例えば、カーナビゲーション装置、デジタルテレビ、テレビゲーム機などが考えられる。
【００１２】
本実施の形態では、情報表示制御装置１０に、情報表示制御装置１０の位置を取得する機能を有する現在位置取得装置２４がさらに接続される例を示す。現在位置取得装置２４は、情報表示制御装置１０が例えばナビゲーション用のアプリケーションを実行する際に用いられる。情報表示制御装置１０が、位置情報を必要としないアプリケーションを実行する場合は、基本的に現在位置取得装置２４は情報表示制御装置１０に接続されている必要はない。
【００１３】
画像表示装置２１、音声出力装置２２、操作入力装置２３および現在位置取得装置２４は、情報表示制御装置１０に内蔵されていてもよいし、外付けのデバイスであってもよい。画像表示装置２１、音声出力装置２２、操作入力装置２３および現在位置取得装置２４が外付けのデバイスの場合、それらと情報表示制御装置１０との間の接続（通信）は、それぞれ有線方式でも無線方式でもよい。
【００１４】
画像表示装置２１としては、液晶表示装置が代表的であるが、画像表示機能を有する任意の装置（例えば、テレビジョン表示装置、スマートフォン、タブレット端末、車両のインストルメントパネルの表示部、画面付きのゲームコントローラなど）を利用してもよい。音声出力装置２２は、スピーカやヘッドフォン等が一般的であるが、これも音声出力機能を有する任意の装置を利用してもよい。
【００１５】
操作入力装置２３は、基本的に情報表示制御装置１０の操作に用いられるが、情報表示制御装置１０が通信端末３０とリンクしている状態では、ユーザは、操作入力装置２３を介して通信端末３０をリモート操作することもできる。操作入力装置２３は、操作ボタン、操作スティック、キーボード、トラックパッド等のハードウェアでもよいし、画面に表示されるアイコンを用いたソフトウェアキーでもよい。また、操作入力装置２３は、ユーザが触れて操作するものだけでなく、カメラやセンサを用いて、ジェスチャによる操作入力や、視線による操作入力、音声による操作入力などを受け付けるものであってもよい。操作入力装置２３としてのソフトウェアキーを画像表示装置２１に表示させる場合、画像表示装置２１と操作入力装置２３は、両者の機能を兼ね備えた１つのタッチパネルとしてもよい。
【００１６】
現在位置取得装置２４は、ＧＰＳ（Global Positioning System）４３から発信される信号を受信して絶対的な位置（緯度、経度）の情報を取得するＧＰＳ受信機が代表的であるが、相対的な位置（位置の変化）の情報を取得するための速度センサ、方位センサなども含まれる。
【００１７】
情報表示制御装置１０は、制御部１１、通信部１２、画像処理部１３、音声処理部１５、通信端末情報解析部１６、通信端末制御部１７および記憶部１８を備えている。情報表示制御装置１０はコンピュータを用いて構成されており、情報表示制御装置１０の各要素は、コンピュータが、記憶部１８に記憶されている制御プログラム１８１に従って動作することにより実現される。なお、記憶部１８は、ハードディスク、リムーバブルディスク、メモリなどの記録媒体によって構成される。
【００１８】
制御部１１は、制御プログラム１８１に従って情報表示制御装置１０の全体を制御する機能を有する。また、制御部１１は、記憶部１８に記憶されている情報表示制御装置１０用のアプリケーションプログラム１８２を実行することもできる。情報表示制御装置１０の記憶部１８に記憶されているアプリケーションプログラム１８２には、通信端末３０で動作するアプリケーションと同様の機能を発揮する「代替アプリケーション」が含まれている。
【００１９】
通信部１２は、情報表示制御装置１０が通信端末３０とリンクするのに必要な通信を行う機能を有し、通信端末３０との間で、画像データ、音声データ、制御命令など各種の情報をやりとりする。通信部１２と通信端末３０との間の通信方式は、例えばＵＳＢ（Universal Serial Bus）ケーブルやＬＡＮ（Local Area Network）ケーブルなどを用いる有線通信でもよいし、無線ＬＡＮやBluetooth（登録商標）などの無線通信でもよい。
【００２０】
画像処理部１３は、画像表示装置２１に画像を表示させるための画像信号を生成する機能を有している。特に、情報表示制御装置１０が通信端末３０とリンクした状態では、画像処理部１３は、通信端末３０で動作しているアプリケーションが出力する画像（アプリケーション画像）を、通信部１２を介して取得し、画像表示装置２１に表示させることができる。
【００２１】
ここで、画像処理部１３が通信端末３０で動作しているアプリケーションの画像（アプリケーション画像）を画像表示装置２１に表示させているときに、通信端末３０が操作された場合、制御部１１は、当該アプリケーションと同様の機能を発揮する代替アプリケーションを実行し、画像処理部１３は、通信端末３０のアプリケーション画像の代わりに、代替アプリケーションの画像（代替アプリケーション画像）を画像表示装置２１に表示させる。
【００２２】
音声処理部１５は、音声出力装置２２に音声を出力させるための音声信号を生成する機能を有している。特に、情報表示制御装置１０が通信端末３０とリンクした状態では、音声処理部１５は、通信端末３０で動作しているアプリケーションが出力する音声を、通信部１２を介して取得し、音声出力装置２２から出力させることができる。
【００２３】
通信端末情報解析部１６は、通信部１２を介して通信端末３０から取得した情報（データ）に基づき、通信端末３０の識別や状態判断を行う。通信端末情報解析部１６が通信端末３０から取得する情報としては、例えば、通信端末３０で実行中のアプリケーションの属性情報（アプリケーションの種別など）や、通信端末３０の属性情報（機種名、機能、電話番号、所有者名など）の他、通信端末３０が何者かに操作されている状態か否かを示す情報（操作状態情報）が含まれる。
【００２４】
通信端末制御部１７は、通信部１２を介して通信端末３０へ各種の制御命令やデータを送信することにより、通信端末３０を制御する機能を有している。情報表示制御装置１０が通信端末３０とリンクした状態では、ユーザは、操作入力装置２３を用いて、画像表示装置２１に表示された通信端末３０の操作画面（通信端末３０で動作しているアプリケーションの操作画面など）の画像に基づく操作を行うことができる。このユーザの操作内容は、通信端末制御部１７が通信端末３０に伝達し、通信端末３０がその操作内容に応じた動作を行う。その結果、操作入力装置２３を用いた通信端末３０のリモート操作が実現される。
【００２５】
通信端末３０は、情報表示制御装置１０とリンクするための通信機能を有している。また、通信端末３０は、スマートフォンや携帯電話などのように、通信網４１（通信端末３０が在圏するネットワーク）を介した遠端側通信装置４２との通信機能を有してもよい。通信端末３０は、通信端末３０用のアプリケーションを実行することによって、電話機能や、電子メール（Ｅメール）の送受信機能、インターネットの閲覧機能（ブラウザ機能）、ＧＰＳ４３を利用して経路案内を行うナビゲーション機能などの様々な機能を発揮できてもよい。
【００２６】
通信端末３０の構成は、例えば一般的なスマートフォンと同様でよいため詳細な説明は省略するが、図１では、本発明と特に関係する表示部３１、操作部３２、制御部３３および通信部３４を図示している。
【００２７】
表示部３１には、通信端末３０で実行中のアプリケーションの画像が表示される。操作部３２は、通信端末３０のユーザインターフェイスであり、ユーザは、操作部３２を用いてアプリケーションに対する操作を行うことができる。制御部３３は、通信端末３０用の制御プログラムを実行することで、通信端末３０の基本的な機能（通信機能や通話機能など）の制御を行うと共に、各種のアプリケーションを実行することにより、上記した様々な機能を通信端末３０に発揮させることができる。通信部３４は、情報表示制御装置１０とリンクするための通信を行うが、通信網４１を介した遠端側通信装置４２との通信にも用いられてもよい。
【００２８】
次に、実施の形態１に係る情報表示システムの動作を説明する。以下の説明では、情報表示制御装置１０、画像表示装置２１、音声出力装置２２、操作入力装置２３および現在位置取得装置２４はいずれも車載装置であり、通信端末３０はスマートフォンであると仮定する。また、画像表示装置２１と操作入力装置２３は、一つのタッチパネル（後述の「タッチパネル装置２１２」）として構成されているものとする。同様に、通信端末３０の表示部３１および操作部３２も、一つのタッチパネル（後述の「タッチパネル部３１２」）として構成されているものとする。
【００２９】
以下の説明では、通信端末３０で動作するアプリケーションとして、経路案内を行うナビゲーション用アプリケーションを例示するが、本発明は、ナビゲーション用以外のアプリケーション、例えばブラウザなどに適用してもよい。
【００３０】
まず、情報表示制御装置１０と通信端末３０との連携（リンク）機能の概要を説明する。情報表示制御装置１０と通信端末３０とが有線または無線により物理接続され、双方の通信によってリンクが確立すると、図２に示すように、情報表示制御装置１０に接続したタッチパネル装置２１２（画像表示装置２１）に、通信端末３０のタッチパネル部３１２（表示部３１）と同じ画像が表示される。また、情報表示制御装置１０に接続した音声出力装置２２には、通信端末３０が出力するものと同じ音声が出力される。
【００３１】
情報表示制御装置１０と通信端末３０とがリンクしている間、通信端末３０が出力する画像や音声などのデータは情報表示制御装置１０へ送信され、情報表示制御装置１０は当該データをタッチパネル装置２１２および音声出力装置２２を用いて出力することができる。
【００３２】
さらに、ユーザは、情報表示制御装置１０と通信端末３０とがリンクしている間、タッチパネル装置２１２（操作入力装置２３）を操作することによって、通信端末３０のタッチパネル部３１２（操作部３２）を操作するのと同じ感覚で、通信端末３０をリモート操作することができる。なお、リンクが確立している間も通信端末３０のタッチパネル部３１２の操作は禁止されず、通信端末３０は、タッチパネル部３１２からもタッチパネル装置２１２からも操作可能な状態になる。
【００３３】
例えば、図２に示した状態から、ユーザがタッチパネル装置２１２に表示された「ナビゲーション」のアイコンにタッチすると、通信端末３０のタッチパネル部３１２を操作したときと同じように、通信端末３０でナビゲーション用アプリケーションが起動する。すると、図３のように、通信端末３０のタッチパネル部３１２に当該アプリケーションの画像（ここでは地図）が表示され、それと共に、タッチパネル装置２１２にも通信端末３０のタッチパネル部３１２と同じ画像が表示される。また、当該アプリケーションが、例えば経路案内のための音声を出力すると、その音声が情報表示制御装置１０に接続された音声出力装置２２から出力される。
【００３４】
このように、情報表示制御装置１０と通信端末３０とがリンクした状態では、情報表示制御装置１０と通信端末３０とが互いに連携した動作を行う。
【００３５】
以下、情報表示制御装置１０における通信端末３０との連携動作の詳細を説明する。
【００３６】
まず、リンク中の通信端末３０からデータを受信した場合における、情報表示制御装置１０の動作を説明する。図４はその動作を示すフローチャートである。
【００３７】
情報表示制御装置１０の通信部１２は、リンク中の通信端末３０から送信されたデータを受信すると（ステップＳ１０１）、受信したデータの種類を確認する（ステップＳ１０２）。
【００３８】
受信したデータが画像のデータであれば（ステップＳ１０３でＹＥＳ）、通信部１２は、その画像（データ）を画像処理部１３へと送る（ステップＳ１０４）。画像処理部１３は、当該画像を画像表示装置２１に表示させる（ステップＳ１０５）。
【００３９】
また、受信したデータが音声のデータであれば（ステップＳ１０３でＮＯ、且つ、ステップＳ１０６でＹＥＳ）、その音声（データ）を音声処理部１５へと送る（ステップＳ１０７）。音声処理部１５は、当該音声を音声出力装置２２から出力させる（ステップＳ１０８）。
【００４０】
一方、受信したデータが画像でも音声でもなく、通信端末３０で実行中のアプリケーションの属性情報、通信端末３０の属性情報、もしくは、通信端末３０が操作されている状態か否かを示す情報（操作状態情報）などであれば（ステップＳ１０３でＮＯ、且つ、ステップＳ１０６でＮＯ）、通信部１２は、その情報（データ）を通信端末情報解析部１６へと送る（ステップＳ１０９）。通信端末情報解析部１６は、それらの情報を解析し、その結果を制御部１１へ送る（ステップＳ１１０）。それにより、制御部１１は、通信端末３０の状況に応じた情報表示制御装置１０の制御を行うことができる。
【００４１】
次に、通信端末３０とのリンク中にユーザが操作入力装置２３を操作した場合における、情報表示制御装置１０の動作を説明する。図５は、その動作を示すフローチャートである。
【００４２】
ユーザにより操作入力装置２３の操作が行われると、操作入力装置２３はその操作を情報表示制御装置１０の制御部１１に通知し（ステップＳ２０１）、制御部１１が、その操作の内容を確認する（ステップＳ２０２）。
【００４３】
当該操作が、通信端末３０の制御が必要となる操作であれば（ステップＳ２０３でＹＥＳ）、制御部１１は、その操作に対応する制御命令を通信端末制御部１７へと送る（ステップＳ２０４）。通信端末制御部１７は、その制御命令を通信部１２へ渡し（ステップＳ２０５）、通信部１２は、その制御命令を通信端末３０へ送信する（ステップＳ２０６）。
【００４４】
また、当該操作が、通信端末３０へのデータ送信が必要となる操作であれば（ステップＳ２０３でＮＯ、且つ、ステップＳ２０７でＹＥＳ）、制御部１１は、通信端末３０へ送信するデータを通信端末制御部１７へと送る（ステップＳ２０８）。通信端末制御部１７は、そのデータを通信部１２へ渡し（ステップＳ２０９）、通信部１２は、そのデータを通信端末３０へ送信する（ステップＳ２１０）。
【００４５】
一方、当該操作が、その他の操作であれば（ステップＳ２０３でＮＯ、且つ、ステップＳ２０７でＮＯ）、その操作の対象は通信端末３０ではなく情報表示制御装置１０であるので、制御部１１は、当該操作により入力された情報を、制御プログラム１８１およびアプリケーションプログラム１８２の処理に利用する（ステップＳ２１１）。それにより、情報表示制御装置１０は、ユーザの操作に基づく動作を行うこととなる。
【００４６】
次に、通信端末３０とのリンク中に、通信端末３０が何者か（例えば運転者以外の同乗者）に操作された場合における情報表示制御装置１０の動作を説明する。
【００４７】
情報表示制御装置１０は、リンク中の通信端末３０が操作されている状態になると、そのとき通信端末３０で動作していたアプリケーションと同様の機能を有する代替アプリケーションを実行し、それまで画像表示装置２１に表示させていた通信端末３０のアプリケーション画像に代えて、代替アプリケーションの画像（代替アプリケーション画像）を表示させる。
【００４８】
例えば、情報表示制御装置１０と通信端末３０とがリンクしており、図３に示したように画像表示装置２１（タッチパネル装置２１２）と通信端末３０の表示部３１（タッチパネル部３１２）の両方に、通信端末３０で動作しているナビゲーション用のアプリケーションの画像（地図）が表示されている状態を仮定する。その状態から、通信端末３０が操作されると、通信端末３０の表示部３１にはその操作に応じた画面が表示され、それによって地図の表示が隠れてしまう。このとき、画像表示装置２１の表示を、通信端末３０の表示部３１の表示と同じに維持すると、画像表示装置２１にも地図が隠れた画面が表示されることになり、ユーザ（運転者）は、画像表示装置２１で地図を見ることができなくなる。
【００４９】
この問題を防止するために、実施の形態１の情報表示制御装置１０は、リンク中の通信端末３０が操作されている状態になったことを検出すると、通信端末３０で動作しているアプリケーションと同様の機能を発揮する代替アプリケーションを起動させる。ここでも、通信端末３０においてナビゲーション用のアプリケーションが動作している状態を想定する。この場合、情報表示制御装置１０は、代替アプリケーションとして、ナビゲーション用のアプリケーションを起動させる。
【００５０】
本実施の形態では、代替アプリケーションとしてのナビゲーション用のアプリケーションは、通信端末３０で動作しているナビゲーション用のアプリケーションよりも簡略化された地図を表示する簡易ナビゲーション用のアプリケーションとする。また、簡易ナビゲーション用のアプリケーションの動作には、情報表示制御装置１０が現在位置取得装置２４から取得した位置情報と、記憶部１８に記憶されている地図情報とが用いられる。代替アプリケーションとして、簡易ナビゲーション用のアプリケーションを使用することにより、情報表示制御装置１０の記憶部１８に記憶させる地図情報のデータ量を少なくできるという利点がある。
【００５１】
代替アプリケーションが起動すると、情報表示制御装置１０は、図６のように、代替アプリケーション画像（簡易ナビゲーション用の地図）を画像表示装置２１に表示させる。簡易ナビゲーション用のアプリケーションの動作は、通信端末３０の動作とは独立しているため、通信端末３０の表示部３１に表示されている地図が操作用の画面（操作メニューなど）の表示に隠れても、画像表示装置２１に表示されている簡易ナビゲーション用のアプリケーションの地図が隠れることはない。従って、ユーザは、画像表示装置２１に表示されている簡易ナビゲーション用の地図から現在位置を把握でき、利便性は維持される。なお、図６の状態で、同乗者が通信端末３０を操作して、通信端末３０の設定（例えば、ナビゲーション用のアプリケーションに設定されている目的地や経路）が変更された場合、情報表示制御装置１０は、通信端末３０から変更後の設定の情報を取得して、それを代替アプリケーションの設定（例えば、簡易ナビゲーション用のアプリケーションにおける目的地や経路）に反映させる。
【００５２】
図７は、通信端末３０の操作が開始されたときの情報表示制御装置１０の画像表示動作を示すフローチャートである。図７のフローチャートに示す動作は、図３のように、画像表示装置２１に通信端末３０から受信したアプリケーション画像が表示された状態のときに行われる。
【００５３】
通信端末３０は、情報表示制御装置１０とリンクしている間、通信端末３０は、自己が操作されている状態か否かを示す情報（操作状態情報）を情報表示制御装置１０へ随時送信する。具体的には、通信端末３０は、操作状態情報として、自己の操作が開始されたことを示す「操作開始情報」と、その操作が終了したことを示す「操作終了情報」とを情報表示制御装置１０に送信する。ここでいう「操作の終了」は、操作用の画面が消えて元の画面に戻ったことを意味している。例えば、操作メニューを表示したまま、複数の操作が行われる場合、「操作終了情報」は最後の操作が終わったときに送信される。
【００５４】
また、図３の状態において、通信端末３０が操作される前は、制御部１１の内部に保存されているフラグ（条件判定処理の結果を保存するためのデータ）である「操作中フラグ」、「操作終了待ちフラグ」および「読み捨てフラグ」はクリアされた状態になっている。
【００５５】
図３の状態において、情報表示制御装置１０の通信部１２が、通信端末３０から操作開始情報を受信すると（ステップＳ３０１）、通信部１２はその操作開始情報を通信端末情報解析部１６へ送る（ステップＳ３０２）。そして、通信端末情報解析部１６は、制御部１１の内部に保存されているフラグ（条件判定処理の結果を保存するためのデータ）である「操作中フラグ」と「操作終了待ちフラグ」をセットする（ステップＳ３０３）。なお、後述する「読み捨てフラグ」は、このときクリアされた状態になっている。
【００５６】
その後、通信端末情報解析部１６は、一定時間待機する（ステップＳ３０４）。この待機時間は、ユーザが好みに応じて変更できるようにしてもよい。
【００５７】
通信端末情報解析部１６が待機している間（操作終了待ちフラグがセット状態の間）に通信部１２が操作終了情報を受信しなかった場合（ステップＳ３０５でＮＯ）、通信端末情報解析部１６は、操作終了待ちフラグをクリアして（ステップＳ３０６）、操作中フラグをセット状態に維持する。そして、読み捨てフラグをセットする（ステップＳ３０７）。
【００５８】
一方、通信端末情報解析部１６が待機している間に通信部１２が操作終了情報を受信した場合（ステップＳ３０５でＹＥＳ）、通信端末情報解析部１６は、操作中フラグと操作終了待ちフラグをクリアする（ステップＳ３０８）。つまり、通信部１２が操作開始情報を受信しても、その後すぐに操作終了情報を受信したときは、操作開始情報を受信する前の状態に戻る。よって、通信端末３０の操作が一定時間以上続かなかったときは、その操作の開始を示す操作開始情報は無視され、通信端末３０が操作されなかったものとみなされる。通信端末３０が短時間だけ操作された場合にまで画像表示装置２１の表示が代替アプリケーション画像に切り替わると、かえって利便性が低下することが考えられるが、この処理によってそれが防止される。
【００５９】
その後、通信端末３０からの画像（アプリケーション画像）を通信部１２が受信すると（ステップＳ３０９）、通信部１２は受信した画像を画像処理部１３に送り（ステップＳ３１０）、制御部１１が読み捨てフラグの状態を確認する（ステップＳ３１１）。
【００６０】
読み捨てフラグがセット状態の場合（ステップＳ３１２でＹＥＳ）、制御部１１は、代替アプリケーションを起動させる（ステップＳ３１３）。そして、画像処理部１３は、代替アプリケーションの画像を、画像表示装置２１に表示させる（ステップＳ３１４）。その結果、情報表示制御装置１０は図６の状態に移行する。
【００６１】
一方、読み捨てフラグがセットされていない状態（クリア状態）の場合（ステップＳ３１２でＮＯ）、画像処理部１３は、通信端末３０から受信した画像、すなわちアプリケーション画像を画像表示装置２１に表示させる（ステップＳ３１５）。その結果、情報表示制御装置１０は図３の状態に維持される。
【００６２】
なお、代替アプリケーションは、通信端末３０が操作されたときに通信端末３０で動作していたアプリケーションと同様の機能を発揮するものであるが、さらに、通信端末３０が操作される前後で画像表示装置２１の画面表示の継続性を担保できるものであることが望ましい。
【００６３】
例えば、画像表示装置２１（タッチパネル装置２１２）の表示が、通信端末３０で動作しているナビゲーション用のアプリケーションの地図（図３）から、代替アプリケーション（簡易ナビゲーション）の地図（図６）に切り替わる場合、代替アプリケーションの地図は、通信端末３０のアプリケーションの地図と同じ地域を同じ縮尺・向きで表示することが望ましい。それを実現するためには、通信端末３０のアプリケーションがどの地域の地図を、どのような縮尺で、どの方角を上にして表示していたか、といった情報を、情報表示制御装置１０が取得する必要がある。
【００６４】
さらに、通信端末３０のアプリケーションの地図に現在位置から目的地までの経路が表示されていた場合には、その経路の情報も取得して代替アプリケーションの地図に表示するとよい。あるいは、情報表示制御装置１０が目的地の情報を取得し、現在位置から目的地までの経路を代替アプリケーションで再検索して表示させてもよい。
【００６５】
また、代替アプリケーションの起動が遅いと、画像表示装置２１の表示を通信端末３０のアプリケーション画像から代替アプリケーション画像へ即座に切り替えることができない。例えば、簡易ナビゲーション用のアプリケーションは、起動時に現在位置取得装置２４を用いて現在位置を取得する必要があるため、起動にある程度の時間を要する。この問題は、情報表示制御装置１０が、事前に現在位置取得装置２４を用いて現在位置を取得しておく、あるいは、事前に代替アプリケーションを起動させておく、などの措置により解決できる。
【００６６】
図８は、通信端末３０の操作が終了したときの情報表示制御装置１０の画像表示動作を示すフローチャートである。図８のフローチャートに示す動作は、通信端末３０が操作されたことによって、図６のように、画像表示装置２１に代替アプリケーション画像が表示された状態のときに行われる（代替アプリケーションは、図７のステップＳ３１３で起動される）。
【００６７】
また、図６の状態において、通信端末３０の操作が終了する前は、制御部１１の内部に保存されているフラグである「操作中フラグ」および「読み捨てフラグ」はセットされた状態になっており（操作中フラグは図７のステップＳ３０３でセットされ、読み捨てフラグは図７のステップＳ３０７でセットされる）、「操作開始待ちフラグ」はクリアされた状態になっている。
【００６８】
図６の状態において、情報表示制御装置１０の通信部１２が、通信端末３０から操作終了情報を受信すると（ステップＳ４０１）、通信部１２はその操作終了情報を通信端末情報解析部１６へ送る（ステップＳ４０２）。通信端末情報解析部１６は、制御部１１の内部に保存されている「操作中フラグ」をクリアし、「操作開始待ちフラグ」をセットする（ステップＳ４０３）。
【００６９】
その後、通信端末情報解析部１６は、一定時間待機する（ステップＳ４０４）。この待機時間は、ユーザが好みに応じて変更できるようにしてもよい。
【００７０】
制御部１１が待機している間（操作開始待ちフラグがセット状態の間）に、通信部１２が操作開始情報を受信しなかった場合（ステップＳ４０５でＮＯ）、通信端末情報解析部１６は、操作開始待ちフラグをクリアする（ステップＳ４０６）。このとき操作中フラグはクリア状態に維持される。そして、読み捨てフラグをクリアする（ステップＳ４０７）。
【００７１】
一方、通信端末情報解析部１６が待機している間に、通信部１２が操作開始情報を受信した場合（ステップＳ４０５でＹＥＳ）、通信端末情報解析部１６は、操作中フラグをセットして、操作開始待ちフラグをクリアする（ステップＳ４０８）。つまり、通信部１２が操作終了情報を受信しても、その後すぐに操作開始情報を受信したときは、操作終了情報を受信する前の状態に戻る。よって、通信端末３０が操作されなくなった状態が一定時間以上続かなかったときは、それを示す操作終了情報は無視され、通信端末３０の操作が終了しなかったとみなされる。通信端末３０が短時間だけ操作されなくなった場合にまで、画像表示装置２１の表示が通信端末３０のアプリケーション画像に切り替わると、図３の状態と図６の状態とが頻繁に切り替わり、かえって利便性が低下することが考えられるが、この処理によってそれが防止される。
【００７２】
その後、通信端末３０からの画像を通信部１２が受信すると（ステップＳ４０９）、通信部１２は受信した画像を画像処理部１３に送り（ステップＳ４１０）、制御部１１が読み捨てフラグの状態を確認する（ステップＳ４１１）。
【００７３】
読み捨てフラグがクリア状態の場合（ステップＳ４１２でＮＯ）、画像処理部１３は、通信端末３０から受信した画像、すなわちアプリケーション画像を画像表示装置２１に表示させる（ステップＳ４１３）。また、制御部１１は、代替アプリケーションを終了させる（ステップＳ４１４）。その結果、情報表示制御装置１０は図３の状態に移行する。
【００７４】
一方、読み捨てフラグがセット状態の場合は（ステップＳ４１２でＹＥＳ）、画像処理部１３は、代替アプリケーションの画像を、画像表示装置２１に表示させる（ステップＳ４１５）。その結果、情報表示制御装置１０は図６の状態に維持される。
【００７５】
＜実施の形態２＞
例えば、車両の走行中に、情報表示制御装置１０とリンク中の通信端末３０を同乗者が操作して、通信端末３０の設定が変更されると不都合が生じる場合がある。例えば、通信端末３０が実行中のナビゲーション用のアプリケーションに設定されている目的地が同乗者によって勝手に変更されると、運転者の意図しない経路変更が実行されてしまう。
【００７６】
そこで、実施の形態２では、情報表示制御装置１０とリンク中の通信端末３０の設定変更を、情報表示制御装置１０のユーザである運転者の許可が得られた場合にのみ許容するようにする。なお、実施の形態２に係る情報表示システムの構成は、図１と同様であるので説明は省略する。
【００７７】
ここでも、図３のように、情報表示制御装置１０とリンク中の通信端末３０において、ナビゲーション用のアプリケーションが実行されている状態を想定する。実施の形態１と同様に、同乗者が通信端末３０を操作すると、情報表示制御装置１０は代替アプリケーションである簡易ナビゲーション用のアプリケーションを実行し、図６のように、画像表示装置２１（タッチパネル装置２１２）には代替アプリケーション画像（簡易ナビゲーション用の地図）が表示される。実施の形態２では、さらに、同乗者が通信端末３０で実行中のナビゲーション用のアプリケーションの設定（ここでは目的地）を変更しようとすると、図９のように、運転者の許可を求める画像が、画像表示装置２１に表示される。また、このとき、運転者の許可を求める音声が音声出力装置２２から出力される。
【００７８】
運転者は、操作入力装置２３（タッチパネル装置２１２に表示された「ＯＫ」または「ＮＧ」のボタン）を操作して、目的地の変更を許可するか否かを入力することができる。運転者の変更が許可された場合に限り、通信端末３０で実行中のナビゲーション用のアプリケーションに設定されている目的地が変更される。
【００７９】
ここでは、変更のために運転者の許可を必要とする通信端末３０の設定の例として、ナビゲーション用のアプリケーションに設定された目的地を挙げたが、本実施の形態は、他の設定の変更にも適用可能である。また、通信端末３０の設定の変更に運転者の許可を必要とするかどうかは、ユーザの好みで切り替え可能にしてもよい。
【００８０】
図１０は、実施の形態２に係る情報表示制御装置１０の動作を示すフローチャートである。図１０のフローチャートに示す動作は、図６のように、情報表示制御装置１０とリンク中の通信端末３０が操作されている状態で行われる。
【００８１】
例えば、情報表示制御装置１０とリンク中の通信端末３０を同乗者が操作して、通信端末３０の設定（例えば目的地）を変更しようとすると、通信端末３０から、運転者（情報表示制御装置１０のユーザ）の許可を求める「設定変更要求情報」が送信される。設定変更要求情報には、通信端末３０においてどのような設定が変更されようとしているのかを示す情報が含まれている。
【００８２】
情報表示制御装置１０の通信部１２は、通信端末３０からの設定変更要求情報を受信すると（ステップＳ５０１）、それを通信端末情報解析部１６へ送る（ステップＳ５０２）。設定変更要求情報を受けた通信端末情報解析部１６は、運転者の許可を求めるように制御部１１へ要求する（ステップＳ５０３）。
【００８３】
すると、制御部１１は、運転者の許可を求める画像を表示するように、画像処理部１３へ要求する（ステップＳ５０４）。応じて、画像処理部１３は、図９のように、運転者の許可を求める画像を、代替アプリケーション画像に合成して、画像表示装置２１に表示させる（ステップＳ５０５）。また、制御部１１は、運転者の許可を求める音声を出力するように、音声処理部１５へ要求する（ステップＳ５０６）。応じて、音声処理部１５は、運転者の許可を求める音声を、音声出力装置２２から出力させる（ステップＳ５０７）。
【００８４】
その後、情報表示制御装置１０は、運転者が通信端末３０の設定変更を許可するか否かを入力するのを待つ（ステップＳ５０８）。運転者は、操作入力装置２３（図９の「ＯＫ」または「ＮＧ」のボタン）を操作することで、通信端末３０の設定変更を許可するか否かを示す「許可情報」を入力できる。なお、ステップＳ５０８において、一定時間経過しても運転者からの入力がない場合は、設定変更が許可されなかったとみなすようにしてもよい。
【００８５】
運転者によって操作入力装置２３に許可情報が入力されると、操作入力装置２３は、その許可情報を制御部１１に送る（ステップＳ５０９）。制御部１１は、運転者の許可を求める画像の表示を終了するように、画像処理部１３へ要求する（ステップＳ５１０）。応じて、画像処理部１３は、運転者の許可を求める画像を消して、代替アプリケーション画像のみを、画像表示装置２１に表示させる（ステップＳ５１１）。その結果、図６の状態に戻る。
【００８６】
また、制御部１１は、運転者が入力した許可情報を通信部１２へ送り（ステップＳ５１２）、通信部１２が、その許可情報を通信端末３０へ送信する（ステップＳ５１３）。
【００８７】
通信端末３０は、情報表示制御装置１０から許可情報を受信し、その許可情報の内容が、設定変更を許可するものであれば同乗者の指示どおりに設定変更を行うが、許可情報の内容が、設定変更を許可しないものであれば、設定変更は行わない。なお、設定変更が許可された場合、情報表示制御装置１０は、通信端末３０から変更後の設定の情報を取得して、それを代替アプリケーションの設定に反映させる。
【００８８】
＜実施の形態３＞
図１１は、本発明に係る情報表示システムの構成図である。図１１に示す情報表示システムは、図１の構成に対して画像記憶部１４を設けた構成となっている。画像記憶部１４は、情報表示制御装置１０が通信端末３０とリンクしている間、通信端末３０から取得したアプリケーションの画面（スクリーンショット）を随時記憶する機能を有している。
【００８９】
実施の形態３では、情報表示制御装置１０とリンクしている通信端末３０が操作されている状態になった場合に、制御部１１の画像変化推定部１１１が、アプリケーション画像の表示が継続したと仮定したときの当該アプリケーション画像の変化を推定する。さらに、画像処理部１３は、画像記憶部１４に記憶されているアプリケーション画像に、画像変化推定部１１１が推定した変化を加える加工処理を行って、加工処理後のアプリケーション画像を画像表示装置２１に表示させる。
【００９０】
つまり、実施の形態３の情報表示制御装置１０は、通信端末３０が操作されている状態になった場合も、通信端末３０のアプリケーションの画像の表示を継続する。情報表示制御装置１０が画像表示装置２１に表示させるアプリケーション画像は、当該アプリケーションが動作を継続したと仮定して推定したアプリケーション画像となる。
【００９１】
ここでも、図３のように、画像表示装置２１（タッチパネル装置２１２）と通信端末３０の表示部３１（タッチパネル部３１２）に、通信端末３０のナビゲーション用のアプリケーションの画像（地図）が表示されている状態を仮定する。実施の形態３の情報表示制御装置１０は、リンク中の通信端末３０が操作されていることを検出すると、図１２のように、画像表示装置２１には、その直前に画像記憶部１４に記憶されたアプリケーション画像（地図）を表示させる。これにより、見た目上、画像表示装置２１におけるアプリケーション画像の表示は継続される。しかし、地図が更新されなければ、車両が移動したときに、地図上の車両の位置と実際の車両の位置（現在位置）とがずれることになる。
【００９２】
そこで本実施の形態では、制御部１１の画像変化推定部１１１が、現在位置取得装置２４から得られる位置情報に基づいて車両の位置変化を算出することにより、通信端末３０が操作されないまま動作を継続したと仮定したときのアプリケーション画像の変化を推定する。具体的には、画像変化推定部１１１が、算出した車両の位置変化（移動の方向と距離）と、画像表示装置２１に表示されている地図の縮尺や向きに基づいて、当該地図上で車両の位置がどの方向にどの程度移動するのかを推定する。
【００９３】
画像処理部１３は、画像変化推定部１１１が推定した地図上の車両の位置変化が反映されるように、画像記憶部１４に記憶されている地図（アプリケーション画像）の加工処理を行う。そして画像処理部１３は、加工処理後の地図を画像表示装置２１に表示させる。
【００９４】
例えば図１２の状態では、画像表示装置２１の画面中央のやや下側に車両の位置を示すアイコン（白丸と黒三角とを組み合わせたマーク）が表示されている。その状態から車両が前進した場合、通信端末３０のアプリケーションが動作を継続していると仮定すると、地図上の車両のアイコンは上方向に移動すると推定される。画像処理部１３は、その推定結果に基づき、図１３のように車両の位置を示すアイコンを上方向に動かす加工処理を行う。この処理を繰り返すことにより、車両の移動に応じて地図上の車両の位置を示すアイコンが移動することになる。
【００９５】
このように、通信端末３０が操作されている間も画像表示装置２１に表示されているアプリケーション画像（地図）が動的に表示されることにより、ユーザはアプリケーション画像から現在位置を直感的に把握でき、利便性は維持される。
【００９６】
図１４は、通信端末３０の操作が開始されたときの情報表示制御装置１０の画像表示動作を示すフローチャートである。図１４のフローチャートに示す動作は、図３のように、画像表示装置２１に通信端末３０から受信したアプリケーション画像が表示された状態のときに行われる。図１４のフローチャートにおいて、ステップＳ３０１〜Ｓ３１２は、図７と同様であるので、ここではそれらのステップの説明は省略する。
【００９７】
情報表示制御装置１０が通信端末３０から操作開始情報を受信し、ステップＳ３０６で読み捨てフラグがセット状態にされた場合、ステップＳ３１２で「ＹＥＳ」と判断される。この場合、制御部１１の画像変化推定部１１１は、現在位置取得装置２４から現在位置を取得して現在位置の変化を算出し、通信端末３０が操作されないまま動作を継続したと仮定したときのアプリケーション画像の変化を推定する（ステップＳ３２３）。続いて、画像処理部１３は、画像変化推定部１１１が推定したアプリケーション画像の変化が反映されるように、画像記憶部１４に記憶されているアプリケーション画像の加工処理を行い、加工処理後の画像（推定画像）を画像表示装置２１に表示させる（ステップＳ３２４）。その結果、情報表示制御装置１０は図１２または図１３の状態に移行する。
【００９８】
一方、情報表示制御装置１０が通信端末３０から操作開始情報を受信したが、その後すぐに操作終了情報を受信したことで、読み捨てフラグがセット状態にされなかった場合、ステップＳ３１２で「ＮＯ」と判断される。この場合、画像処理部１３は、通信端末３０から受信した画像、すなわちアプリケーション画像を画像表示装置２１に表示させる（ステップＳ３２５）。その結果、情報表示制御装置１０は図３の状態に維持される。
【００９９】
図１５は、通信端末３０の操作が終了したときの情報表示制御装置１０の画像表示動作を示すフローチャートである。図１５のフローチャートに示す動作は、通信端末３０が操作されたことによって、図１２または図１３のように、画像表示装置２１にアプリケーション画像の変化を推定した画像（推定画像）が表示された状態のときに行われる。図１５のフローチャートにおいて、ステップＳ４０１〜Ｓ４１２は、図８と同様であるので、ここではそれらのステップの説明は省略する。
【０１００】
情報表示制御装置１０が通信端末３０から操作終了情報を受信し、読み捨てフラグがクリアされた場合、ステップＳ４１２で「ＮＯ」と判断される。この場合、画像処理部１３は、通信端末３０から受信した画像、すなわちアプリケーション画像を画像表示装置２１に表示させる（ステップＳ４２５）。その結果、情報表示制御装置１０は図３の状態に遷移する。
【０１０１】
一方、情報表示制御装置１０が通信端末３０から操作終了情報を受信したが、その後すぐに操作開始情報を受信したことで、読み捨てフラグがセット状態に維持された場合、ステップＳ４１２で「ＹＥＳ」と判断される。この場合、制御部１１の画像変化推定部１１１は、現在位置取得装置２４から現在位置を取得して現在位置の変化を算出し、通信端末３０が操作されないまま動作を継続したと仮定したときのアプリケーション画像の変化を推定する（ステップＳ４２３）。続いて、画像処理部１３は、画像変化推定部１１１が推定したアプリケーション画像の変化が反映されるように、画像記憶部１４に記憶されているアプリケーション画像の加工処理を行い、加工処理後の画像（推定画像）を画像表示装置２１に表示させる（ステップＳ４２４）。その結果、情報表示制御装置１０は図１２または図１３の状態に維持される。
【０１０２】
なお、上記の実施の形態２の技術は、実施の形態３の情報表示制御装置１０にも適用可能である。
【０１０３】
図１６および図１７は、それぞれ情報表示制御装置１０のハードウェア構成の例を示す図である。実施の形態１〜３に示した情報表示制御装置１０（図１および図１１）の各構成要素は、例えば図１６に示す処理回路５０により実現される。すなわち、処理回路５０は、画像表示装置２１に画像を表示させる画像処理部１３と、通信端末３０との通信を行い、通信端末３０で動作しているアプリケーションの画像を取得する通信部１２と、通信端末３０が操作されている状態か否かを判断し、その判断結果に基づいて画像処理部１３を制御する制御部１１とを備える。処理回路５０には、専用のハードウェアが適用されてもよいし、メモリに格納されるプログラムを実行するプロセッサ（Central Processing Unit、中央処理装置、処理装置、演算装置、マイクロプロセッサ、マイクロコンピュータ、Digital Signal Processor）が適用されてもよい。
【０１０４】
処理回路５０が専用のハードウェアである場合、処理回路５０は、例えば、単一回路、複合回路、プログラム化したプロセッサ、並列プログラム化したプロセッサ、ＡＳＩＣ、ＦＰＧＡ、またはこれらを組み合わせたものが該当する。案内情報取得部１１、案内地点位置取得部１２および制御部１４の各部の機能それぞれは、複数の処理回路５０で実現されてもよいし、各部の機能をまとめて一つの処理回路５０で実現されてもよい。
【０１０５】
図１７は、処理回路５０がプロセッサである場合における情報表示制御装置１０のハードウェア構成を示している。この場合、情報表示制御装置１０の各構成要素の機能は、ソフトウェア等（ソフトウェア、ファームウェア、またはソフトウェアとファームウェア）との組み合わせにより実現される。ソフトウェア等はプログラムとして記述され、メモリ５２に格納される。処理回路５０としてのプロセッサ５１は、メモリ５２に記憶されたプログラムを読み出して実行することにより、各部の機能を実現する。すなわち、情報表示制御装置１０は、プロセッサ５１により実行されるときに、画像表示装置２１に画像を表示させるステップと、通信端末３０との通信を行い、通信端末３０で動作しているアプリケーションの画像を取得するステップと、通信端末３０が操作されている状態か否かを判断し、その判断結果に基づいて画像表示装置２１の表示を制御するステップと、が結果的に実行されることになるプログラムを格納するためのメモリ５２を備える。換言すれば、このプログラムは、情報表示制御装置１０の各構成要素が行う手順や方法をコンピュータに実行させるものであるともいえる。ここで、メモリ５２には、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）およびそのドライブ装置等が該当する。
【０１０６】
以上、情報表示制御装置１０の各構成要素の各機能が、ハードウェアおよびソフトウェア等のいずれか一方で実現される構成について説明した。しかしこれに限ったものではなく、それらの一部を専用のハードウェアで実現し、別の一部をソフトウェア等で実現する構成であってもよい。例えば、制御部１１については専用のハードウェアとしての処理回路でその機能を実現し、それ以外については処理回路５０としてのプロセッサ５１がメモリ５２に格納されたプログラムを読み出して実行することによってその機能を実現することが可能である。
【０１０７】
以上のように、処理回路５０は、ハードウェア、ソフトウェア等、またはこれらの組み合わせによって、上述の各機能を実現することができる。なお、記憶部１８および画像記憶部１４は、メモリ５２から構成されるが、それは一つのメモリ５２から構成されてもよいし、それぞれ個別のメモリ５２から構成されてもよい。
【０１０８】
また、以上で説明した情報表示制御装置は、車両に搭載可能な備え付けられたナビゲーション装置、Portable Navigation Device、通信端末（例えば携帯電話、スマートフォン、およびタブレットなどの携帯端末）、およびこれらにインストールされるアプリケーションの機能、並びにサーバなどを適宜に組み合わせてシステムとして構築される表示制御システムに適用することができる。この場合、以上で説明した情報表示制御装置の各機能あるいは各構成要素は、上記システムを構築する各機器に分散して配置されてもよいし、いずれかの機器に集中して配置されてもよい。
【０１０９】
なお、本発明は、その発明の範囲内において、各実施の形態を自由に組み合わせたり、各実施の形態を適宜、変形、省略することが可能である。
【符号の説明】
【０１１０】
１０  情報表示制御装置、１１  制御部、１１１  画像変化推定部、１２  通信部、１３  画像処理部、１４  画像記憶部、１５  音声処理部、１６  通信端末情報解析部、１７  通信端末制御部、１８  記憶部、１８１  制御プログラム、１８２  アプリケーションプログラム、２１  画像表示装置、２２  音声出力装置、２３  操作入力装置、２４  現在位置取得装置、３０  通信端末、４１  通信網、４２  遠端側通信装置、４３  ＧＰＳ、３１  表示部、３２  操作部、３３  制御部、３４  通信部、２１２  タッチパネル装置、３１２  タッチパネル部、５０  処理回路、５１  プロセッサ、５２  メモリ。
【図１】
2017054394.tif 000003
【図２】
2017054394.tif 000004
【図３】
2017054394.tif 000005
【図４】
2017054394.tif 000006
【図５】
2017054394.tif 000007
【図６】
2017054394.tif 000008
【図７】
2017054394.tif 000009
【図８】
2017054394.tif 000010
【図９】
2017054394.tif 000011
【図１０】
2017054394.tif 000012
【図１１】
2017054394.tif 000013
【図１２】
2017054394.tif 000014
【図１３】
2017054394.tif 000015
【図１４】
2017054394.tif 000016
【図１５】
2017054394.tif 000017
【図１６】
2017054394.tif 000018
【図１７】
2017054394.tif 000019